(57)【要約】      （修正有）【課題】液体収容部内の液体の残量を確認しやすい液体吐出装置を提供すること。【解決手段】液体吐出装置１１は、液体を吐出する吐出部１５と、吐出部に供給される液体を収容する液体収容部１６と、発光することによって液体収容部内の液体の残量を表示する表示部２２と、を備える。また、表示部２２は、タッチパネルで構成され、入力を感知することによって液体収容部１６内の液体の残量を表示する。また、表示部２２は、液体収容部１６内の液体の残量を数値として表示する。【選択図】図３
2020157734.tif 000002
【特許請求の範囲】
【請求項１】
液体を吐出する吐出部と、
前記吐出部に供給される液体を収容する液体収容部と、
発光することによって前記液体収容部内の液体の残量を表示する表示部と、を備えることを特徴とする液体吐出装置。
【請求項２】
前記表示部は、タッチパネルで構成され、入力を感知することによって前記液体収容部内の液体の残量を表示することを特徴とする請求項１に記載の液体吐出装置。
【請求項３】
近接センサーを備え、
前記表示部は、前記近接センサーが物体を検知することによって前記液体収容部内の液体の残量を表示することを特徴とする請求項１又は請求項２に記載の液体吐出装置。
【請求項４】
前記表示部は、前記液体収容部内の液体の残量を数値として表示することを特徴とする請求項１から請求項３の何れか一項に記載の液体吐出装置。
【発明の詳細な説明】
【技術分野】
【０００１】
本発明は、液体吐出装置に関する。
【背景技術】
【０００２】
特許文献１には、液体吐出装置の一例として、液体を収容する液体収容部を備える記録装置が記載されている。この記録装置においては、液体収容部内の液体の残量を視認するために透明材料で形成される残量確認部が設けられる。残量確認部を通して液体収容部内を見ることによって、液体の残量を確認できる。
【先行技術文献】
【特許文献】
【０００３】
【特許文献１】特開２０１８−１６１８５２号公報
【発明の概要】
【発明が解決しようとする課題】
【０００４】
特許文献１に記載された記録装置においては、周囲が暗いと、液体収容部内を視認しにくい。そのため、液体収容部内の液体の残量を確認しにくい。
【課題を解決するための手段】
【０００５】
上記課題を解決する液体吐出装置は、液体を吐出する吐出部と、前記吐出部に供給される液体を収容する液体収容部と、発光することによって前記液体収容部内の液体の残量を表示する表示部と、を備えることを特徴とする液体吐出装置。
【図面の簡単な説明】
【０００６】
【図１】液体吐出装置の一実施形態を示す斜視図。
【図２】図１とは異なる角度から見た液体吐出装置の斜視図。
【図３】第２カバーが開いた状態の液体吐出装置の斜視図。
【図４】液体吐出装置の正面図。
【図５】液体吐出装置の第１変更例を示す斜視図。
【図６】図５とは異なる角度から見た第１変更例における液体吐出装置の斜視図。
【図７】第２カバー及び第３カバーが開いた状態の第１変更例における液体吐出装置の斜視図。
【図８】第１変更例における液体吐出装置の正面図。
【図９】液体吐出装置の第２変更例を示す斜視図。
【図１０】第２変更例における液体吐出装置の正面図。
【図１１】液体吐出装置の第３変更例を示す斜視図。
【図１２】第３変更例における液体吐出装置の正面図。
【図１３】液体吐出装置の第４変更例を示す斜視図。
【図１４】第４変更例における液体吐出装置の正面図。
【図１５】液体吐出装置の第５変更例を示す斜視図。
【図１６】第５変更例における液体吐出装置の正面図。
【図１７】液体吐出装置の第６変更例を示す斜視図。
【図１８】第６変更例における液体吐出装置の正面図。
【図１９】第２カバー及び第３カバーを開いた状態の第６変更例における液体吐出装置の斜視図。
【図２０】液体吐出装置の第７変更例を示す斜視図。
【図２１】第７変更例における液体吐出装置の正面図。
【図２２】第７変更例における液体吐出装置が備える操作部の斜視図。
【図２３】第７変更例における液体吐出装置が備える操作部の別形態を示す斜視図。
【図２４】液体吐出装置の第８変更例を示す斜視図。
【図２５】第８変更例における液体吐出装置の正面図。
【図２６】第８変更例における液体吐出装置が備える操作部の斜視図。
【図２７】液体吐出装置の第９変更例を示す斜視図。
【図２８】第９変更例における液体吐出装置の正面図。
【図２９】第９変更例における液体吐出装置が備える操作部の斜視図。
【図３０】液体吐出装置の第１０変更例を示す斜視図。
【図３１】第１０変更例における液体吐出装置の正面図。
【図３２】第１０変更例における液体吐出装置が備える操作部の斜視図。
【図３３】収容カセットを引き出した状態の第１０変更例における液体吐出装置の斜視図。
【図３４】液体吐出装置の第１１変更例を示す斜視図。
【図３５】第１１変更例における液体吐出装置の正面図。
【図３６】液体吐出装置の第１２変更例を示す斜視図。
【図３７】第１２変更例における液体吐出装置の正面図。
【図３８】第１２変更例における液体吐出装置が備える表示部の別形態を示す正面図。
【図３９】第１２変更例における液体吐出装置が備える表示部の図３８とは異なる形態を示す正面図。
【図４０】液体吐出装置の第１３変更例を示す斜視図。
【図４１】第１３変更例における液体吐出装置の正面図。
【図４２】第１３変更例における液体吐出装置が備える表示部の別形態を示す正面図。
【図４３】第１３変更例における液体吐出装置が備える表示部の図４２とは異なる形態を示す正面図。
【発明を実施するための形態】
【０００７】
以下、液体吐出装置の一実施形態について図を参照しながら説明する。液体吐出装置は、例えば、媒体の一例である用紙に、液体の一例であるインクを吐出することによって、文字、写真等の画像を印刷するインクジェット式のプリンターである。
【０００８】
図１及び図２に示すように、液体吐出装置１１は、筐体１２と、第１カバー１３とを備える。第１カバー１３は、筐体１２の上部に設けられる。第１カバー１３は、筐体１２に対して開閉可能に設けられる。図１及び図２において、第１カバー１３は閉じている。第１カバー１３が開くと、筐体１２内が露出する。
【０００９】
液体吐出装置１１は、情報を表示する表示パネル１４を備える。表示パネル１４は、液体吐出装置１１に関する情報を表示する。本実施形態の表示パネル１４は、筐体１２の前面に設けられる。表示パネル１４は、例えばタッチパネルである。ユーザーは、表示パネル１４を介して液体吐出装置１１を操作できる。
【００１０】
図３に示すように、液体吐出装置１１は、液体を吐出する吐出部１５を備える。吐出部１５は、媒体９９に液体を吐出することによって画像を印刷する。吐出部１５は、筐体１２に収容される。液体吐出装置１１は、例えば、筐体１２の前面とは反対の面となる後面から供給される媒体９９に印刷する。
【００１１】
液体吐出装置１１は、吐出部１５に供給される液体を収容する液体収容部１６を備える。液体吐出装置１１は、液体収容部１６を１つだけ備えてもよいし、液体収容部１６を複数備えてもよい。
【００１２】
液体吐出装置１１は、第２カバー１７を備える。第２カバー１７は、筐体１２の前面に設けられる。第２カバー１７は、筐体１２に対して開閉可能とされる。図３において、第２カバー１７は開いている。第２カバー１７が開くと、印刷された媒体９９が排出される排出口１８が露出する。
【００１３】
液体吐出装置１１は、排出口１８から排出される媒体９９が積載される排出トレイ１９を備える。排出トレイ１９は、排出口１８から延びる。第２カバー１７が閉じられる場合、排出トレイ１９は、筐体１２内に収容される。
【００１４】
液体吐出装置１１は、制御部２１を備える。本実施形態の制御部２１は、液体吐出装置１１を統括的に制御する。制御部２１は、例えばＣＰＵとメモリーとを含む。制御部２１は、メモリーに記憶されるプログラムをＣＰＵが実行することによって、液体吐出装置１１を制御する。
【００１５】
液体吐出装置１１は、発光することによって液体収容部１６内の液体の残量を表示する表示部２２を備える。表示部２２は、例えば液晶画面である。本実施形態においては、表示パネル１４とは別に、表示部２２が設けられる。表示部２２は、表示パネル１４を兼ねてもよい。すなわち、表示部２２は、液体収容部１６内の液体の残量だけに限らず、その他の情報を表示してもよい。本実施形態の表示部２２は、筐体１２の前面から側面にかけて設けられる。具体的には、本実施形態の表示部２２は、筐体１２の前面と、液体吐出装置１１を正面から見たときに右方に位置する筐体１２の右側面とにかけて設けられる。
【００１６】
液体吐出装置１１は、液体収容部１６内の液体の残量を検出するセンサーを備えてもよい。この場合、制御部２１は、このセンサーが検出した液体の残量を表示部２２に表示させる。制御部２１は、吐出部１５による吐出のカウント数に基づいて、液体収容部１６内の液体の残量を算出してもよい。この場合、制御部２１は、算出した液体の残量を表示部２２に表示させる。液体収容部１６内の液体の残量が表示部２２に表示されると、周囲が暗い環境であっても、液体収容部１６内の液体の残量を確認しやすい。表示部２２は、液体収容部１６内の液体の残量を常に表示してもよいし、所定のタイミングで表示してもよい。
【００１７】
表示部２２は、タッチパネルで構成されてもよい。この場合、表示部２２は、入力を感知することによって液体収容部１６内の液体の残量を表示してもよい。例えば、ユーザーが表示部２２に触れると、表示部２２は、液体収容部１６内の液体の残量を表示する。このように、ユーザーは、表示部２２に触れるだけで液体収容部１６内の液体の残量を確認できる。そのため、使い勝手が向上する。表示部２２は、入力を感知してから所定の時間だけ液体の残量を表示した後、消灯するように構成されてもよい。表示部２２は、入力を感知している間だけ液体の残量を表示するように構成されてもよい。
【００１８】
液体吐出装置１１は、表示部２２に液体の残量を表示させるボタンを別途備えてもよい。この場合、表示部２２は、そのボタンが押下されることによって液体収容部１６内の液体の残量を表示する。表示部２２は、ボタンが押下されてから所定の時間だけ液体の残量を表示した後、消灯するように構成されてもよい。表示部２２は、ボタンが押下されている間だけ液体の残量を表示するように構成されてもよい。
【００１９】
図４に示すように、液体吐出装置１１は、近接センサー２３を備えてもよい。この場合、表示部２２は、近接センサー２３が物体を検知することによって、液体収容部１６内の液体の残量を表示する。例えば、近接センサー２３がユーザーの手を検知すると、表示部２２は、液体収容部１６内の液体の残量を表示する。このように、ユーザーは、近接センサー２３に手をかざすだけで液体収容部１６内の液体の残量を確認できる。そのため、使い勝手が向上する。
【００２０】
本実施形態の近接センサー２３は、筐体１２の前面に設けられる。近接センサー２３は、表示部２２に設けられてもよい。表示部２２は、近接センサー２３が物体を検知してから所定の時間だけ液体の残量を表示した後、消灯するように構成されてもよい。表示部２２は、近接センサー２３が物体を検知している間だけ液体の残量を表示するように構成されてもよい。
【００２１】
表示部２２は、液体収容部１６内の液体の残量を数値として表示してもよい。例えば、表示部２２は、「残量５０％以上」と表示する。こうすると、ユーザーは、液体収容部１６内の液体の残量が５０％以上であることを把握できる。これにより、ユーザーは、液体収容部１６内の液体の残量を数値で確認できる。そのため、液体収容部１６内の液体の残量をより正確に把握できる。表示部２２は、液体収容部１６内の液体の残量を模式的に示すアイコンを表示してもよい。
【００２２】
表示部２２は、液体吐出装置１１の電源が投入されていない状態であっても、液体収容部１６内の残量を表示するように構成されてもよい。この場合、液体吐出装置１１の電源を投入することなく液体収容部１６内の液体の残量を確認できるため、使い勝手が向上する。
【００２３】
次に、上記実施形態の作用及び効果について説明する。
（１）液体吐出装置１１は、発光することによって液体収容部１６内の液体の残量を表示する表示部２２を備える。これにより、周囲が暗い環境であっても、液体収容部１６内の液体の残量を確認しやすい。
【００２４】
（２）表示部２２は、タッチパネルで構成され、入力を感知することによって液体収容部１６内の液体の残量を表示する。こうすると、例えばユーザーが表示部２２に触れることによって、液体収容部１６内の液体の残量を確認できる。そのため、使い勝手が向上する。
【００２５】
（３）表示部２２は、近接センサー２３が物体を検知することによって液体収容部１６内の液体の残量を表示する。こうすると、ユーザーは、例えば近接センサー２３に手をかざすことによって、液体収容部１６内の液体の残量を確認できる。そのため、使い勝手が向上する。
【００２６】
（４）表示部２２は、液体収容部１６内の液体の残量を数値として表示する。こうすると、ユーザーは、液体収容部１６内の液体の残量を数値で確認できる。すなわち、ユーザーは、液体の残量をより正確に把握できる。
【００２７】
本実施形態は、以下のように変更して実施することができる。本実施形態及び以下の変更例は、技術的に矛盾しない範囲で互いに組み合わせて実施することができる。
・図５、図６、図７及び図８に示すように、液体吐出装置１１の形態を変更してもよい。この第１変更例における液体吐出装置１１は、液体収容部１６を６つ備える。液体収容部１６は、液体吐出装置１１を正面から見たときに、表示パネル１４よりも右方に３つ位置し、表示パネル１４よりも左方に３つ位置する。
【００２８】
第１変更例における液体吐出装置１１は、第３カバー２５を備える。第３カバー２５は、筐体１２の前面に設けられる。第３カバー２５は、筐体１２に対して開閉可能とされる。図５、図６、図８において、第３カバー２５は閉じている。図７において、第３カバー２５は開いている。第１変更例において、表示パネル１４は、第３カバー２５に設けられる。
【００２９】
筐体１２には、筐体１２内に位置する液体収容部１６を露出させる開口２６が設けられる。第１変更例において、開口２６は、第３カバー２５に設けられる。開口２６は、表示パネル１４を挟むように２つ設けられる。２つの開口２６は、それぞれ３つの液体収容部１６を露出させる。
【００３０】
ユーザーは、開口２６を通じて液体収容部１６を視認できる。通常、液体収容部１６は、透明又は半透明の樹脂で構成される。そのため、ユーザーは、液体収容部１６越しに液体収容部１６内の液体の残量を確認できる。ユーザーは、開口２６を通じて液体収容部１６を視認することにより、液体収容部１６内の液体の残量を確認できる。第１変更例においては、表示部２２に代えて、開口２６が設けられる。
【００３１】
液体収容部１６は、開口２６を通じて視認される部分に、液体の残量の指標となる目盛１６Ａを有してもよい。こうすると、液体の残量をより正確に確認できる。
第１変更例において、開口２６に透明部材が嵌め込まれてもよい。透明部材は、透明性がある材質で形成されるものに限らず、透光性がある材質で形成されるものも含み、例えばガラス、プラスチックなどである。こうすると、液体収容部１６に対する視認性を確保しつつ、大気中の塵埃が開口２６を通じて筐体１２内に進入することを抑制できる。
【００３２】
第１変更例において、開口２６が設けられる位置に表示部２２が設けられてもよい。この場合、表示部２２は、例えば、図８に示すような液体収容部１６を模した残量表示画像を表示してもよい。残量表示画像は、液体収容部１６内の液体の残量を示す。残量表示画像には、目盛１６Ａが表示されてもよい。こうすると、ユーザーにとっては、液体収容部１６が表示部２２を透過しているように見えるため、液体の残量を視認しやすい。
【００３３】
第１変更例の液体吐出装置１１において、液体収容部１６を４つ以上備えていてもよく、１２つ以下備えていてもよい。液体収容部１６ごとに開口２６を設けてもよく、複数の液体収容部１６に１つの開口２６を設けてもよい。また、開口２６を表示パネル１４の左右に均等に設けてもよく、不均等に設けてもよい。さらに、液体収容部１６は液体の種類に応じて一部の容量を大きくしてもよく、すべてが同じ容量でなくともよい。
【００３４】
・上記実施形態の液体吐出装置１１において、表示部２２が設けられる位置に開口２６が設けられてもよい。すなわち、液体吐出装置１１は、開口２６を通じて筐体１２内の液体収容部１６を視認できるように構成されてもよい。この場合、ユーザーは、液体収容部１６を視認することによって、液体収容部１６内の液体の残量を確認できる。
【００３５】
液体収容部１６は、開口２６を通じて視認される部分に、液体の残量の指標となる目盛１６Ａを有してもよい。こうすると、液体の残量をより正確に確認できる。開口２６を設ける場合、開口２６に透明部材が嵌め込まれてもよい。
【００３６】
・図９及び図１０に示すように、液体吐出装置１１の形態を変更してもよい。第２変更例における液体吐出装置１１は、液体収容部１６を５つ備える。液体収容部１６は、液体吐出装置１１を正面から見たときに、表示パネル１４よりも右方に５つまとめて位置する。
【００３７】
第２変更例における液体吐出装置１１は、液体収容部１６を露出させる開口２６を備える。開口２６は、５つの液体収容部１６を露出させる。液体収容部１６は、開口２６を通じて視認される部分に、液体の残量の指標となる目盛１６Ａを有してもよい。こうすると、液体の残量をより正確に確認できる。第２変更例において、開口２６に透明部材が嵌め込まれてもよい。
【００３８】
第２変更例において、開口２６が設けられる位置に表示部２２が設けられてもよい。この場合、表示部２２は、例えば、図１０に示すような液体収容部１６を模した残量表示画像を表示してもよい。残量表示画像は、液体収容部１６内の液体の残量を示す。残量表示画像には、目盛１６Ａが表示されてもよい。こうすると、ユーザーにとっては、液体収容部１６が表示部２２を透過しているように見えるため、液体の残量を視認しやすい。
【００３９】
第２変更例の液体吐出装置１１において、液体収容部１６を５つ以下備えていてもよく、７つ以上１２つ以下備えていてもよい。液体収容部１６ごとに開口２６を設けてもよく、複数の液体収容部１６に１つの開口２６を設けてもよい。また、開口２６を表示パネル１４の左右に均等に設けてもよく、不均等に設けてもよい。さらに、液体収容部１６は液体の種類に応じて一部の容量を大きくしてもよく、すべてが同じ容量でなくともよい。
【００４０】
・図１１及び図１２に示すように、液体吐出装置１１の形態を変更してもよい。第３変更例における液体吐出装置１１は、液体収容部１６を６つ備える。液体収容部１６は、液体吐出装置１１を正面から見たときに、排出口１８よりも右方に３つ位置し、排出口１８よりも左方に３つ位置する。
【００４１】
第３変更例における液体吐出装置１１は、液体収容部１６を露出させる開口２６を備える。第３変更例において、開口２６は、６つ設けられる。１つの開口２６が１つの液体収容部１６を露出させる。開口２６は、液体吐出装置１１を正面から見たときに、排出口１８よりも右方に３つ位置し、排出口１８よりも左方に３つ位置する。液体収容部１６は、開口２６を通じて視認される部分に、液体の残量の指標となる目盛１６Ａを有してもよい。こうすると、液体の残量をより正確に確認できる。第３変更例において、開口２６に透明部材が嵌め込まれてもよい。
【００４２】
第３変更例において、開口２６が設けられる位置に表示部２２が設けられてもよい。この場合、表示部２２は、例えば、図１２に示すような液体収容部１６を模した残量表示画像を表示してもよい。残量表示画像は、液体収容部１６内の液体の残量を示す。残量表示画像には、目盛１６Ａが表示されてもよい。こうすると、ユーザーにとっては、液体収容部１６が表示部２２を透過しているように見えるため、液体の残量を視認しやすい。
【００４３】
第３変更例の液体吐出装置１１において、液体収容部１６を５つ以下備えていてもよく、７つ以上１２つ以下備えていてもよい。液体収容部１６ごとに開口２６を設けてもよく、複数の液体収容部１６に１つの開口２６を設けてもよい。また、開口２６を表示パネル１４の左右に均等に設けてもよく、不均等に設けてもよい。さらに、液体収容部１６は液体の種類に応じて一部の容量を大きくしてもよく、すべてが同じ容量でなくともよい。
【００４４】
・図１３及び図１４に示すように、液体吐出装置１１の形態を変更してもよい。第４変更例における液体吐出装置１１は、液体収容部１６を６つ備える。液体収容部１６は、液体吐出装置１１を正面から見たときに、第２カバー１７よりも右方に３つ位置し、第２カバー１７よりも左方に３つ位置する。
【００４５】
第４変更例における液体吐出装置１１は、液体収容部１６を露出させる開口２６を備える。第４変更例において、開口２６は、６つ設けられる。１つの開口２６が１つの液体収容部１６を露出させる。開口２６は、液体吐出装置１１を正面から見たときに、第２カバー１７よりも右方に３つ位置し、第２カバー１７よりも左方に３つ位置する。液体収容部１６は、開口２６を通じて視認される部分に、液体の残量の指標となる目盛１６Ａを有してもよい。こうすると、液体の残量をより正確に確認できる。第４変更例において、開口２６に透明部材が嵌め込まれてもよい。
【００４６】
第４変更例において、開口２６が設けられる位置に表示部２２が設けられてもよい。この場合、表示部２２は、例えば、図１４に示すような液体収容部１６を模した残量表示画像を表示してもよい。残量表示画像は、液体収容部１６内の液体の残量を示す。残量表示画像には、目盛１６Ａが表示されてもよい。こうすると、ユーザーにとっては、液体収容部１６が表示部２２を透過しているように見えるため、液体の残量を視認しやすい。
【００４７】
第４変更例の液体吐出装置１１において、液体収容部１６を５つ以下備えていてもよく、７つ以上１２つ以下備えていてもよい。液体収容部１６ごとに開口２６を設けてもよく、複数の液体収容部１６に１つの開口２６を設けてもよい。また、開口２６を表示パネル１４の左右に均等に設けてもよく、不均等に設けてもよい。さらに、液体収容部１６は液体の種類に応じて一部の容量を大きくしてもよく、すべてが同じ容量でなくともよい。
【００４８】
・図１５及び図１６に示すように、液体吐出装置１１の形態を変更してもよい。第５変更例における液体吐出装置１１は、液体収容部１６を６つ備える。液体収容部１６は、液体吐出装置１１を正面から見たときに、第２カバー１７よりも右方に３つ位置し、第２カバー１７よりも左方に３つ位置する。
【００４９】
第５変更例における液体吐出装置１１は、筐体１２の一部である収容部２７を備える。収容部２７は、液体収容部１６を収容する。収容部２７は、液体吐出装置１１を正面から見たときに、第２カバー１７よりも右方に１つ位置し、第２カバー１７よりも左方に１つ位置する。それぞれの収容部２７は、液体収容部１６を３つずつ収容する。
【００５０】
収容部２７は、液体収容部１６を収容する本体２８と、蓋２９とを有する。蓋２９は、本体２８に対して開閉可能とされる。蓋２９が開くと、本体２８に収容される液体収容部１６が露出される。図１５及び図１６において、蓋２９は閉じている。
【００５１】
蓋２９は、本体２８の上部に設けられる。閉じた状態の第１カバー１３は、閉じた状態の蓋２９に載るように位置する。そのため、第１カバー１３が開いた状態において、蓋２９を開くことが可能となる。蓋２９が開かれると、液体収容部１６への液体の補充、液体収容部１６の交換などが可能となる。
【００５２】
第５変更例における液体吐出装置１１は、液体収容部１６を露出させる開口２６を備える。第５変更例において、開口２６は、６つ設けられる。１つの開口２６が１つの液体収容部１６を露出させる。開口２６は、液体吐出装置１１を正面から見たときに、第２カバー１７よりも右方に３つ位置し、第２カバー１７よりも左方に３つ位置する。
【００５３】
第５変更例において、開口２６は、収容部２７に設けられる。具体的には、開口２６は、本体２８に設けられる。ユーザーは、開口２６を通じて、収容部２７に収容される液体収容部１６を視認できる。液体収容部１６は、開口２６を通じて視認される部分に、液体の残量の指標となる目盛１６Ａを有してもよい。こうすると、液体の残量をより正確に確認できる。第５変更例において、開口２６に透明部材が嵌め込まれてもよい。
【００５４】
第５変更例において、開口２６が設けられる位置に表示部２２が設けられてもよい。この場合、表示部２２は、例えば、図１６に示すような液体収容部１６を模した残量表示画像を表示してもよい。残量表示画像は、液体収容部１６内の液体の残量を示す。残量表示画像には、目盛１６Ａが表示されてもよい。こうすると、ユーザーにとっては、液体収容部１６が表示部２２を透過しているように見えるため、液体の残量を視認しやすい。
【００５５】
第５変更例の液体吐出装置１１において、液体収容部１６を５つ以下備えていてもよく、７つ以上１２つ以下備えていてもよい。液体収容部１６ごとに開口２６を設けてもよく、複数の液体収容部１６に１つの開口２６を設けてもよい。また、開口２６を表示パネル１４の左右に均等に設けてもよく、不均等に設けてもよい。さらに、液体収容部１６は液体の種類に応じて一部の容量を大きくしてもよく、すべてが同じ容量でなくともよい。
【００５６】
・図１７、図１８及び図１９に示すように、液体吐出装置１１の形態を変更してもよい。第６変更例における液体吐出装置１１は、液体吐出装置１１を操作するための操作部３１を備える。ユーザーは、操作部３１を操作することによって、液体吐出装置１１に指示を入力できる。例えば、ユーザーが操作部３１を操作すると、表示パネル１４の表示が切り替わる。
【００５７】
第６変更例において、操作部３１は、１又は複数のボタンである。操作部３１は、例えば第３カバー２５に設けられる。操作部３１は、第３カバー２５において、表示パネル１４と隣り合う位置に位置する。
【００５８】
第６変更例における液体吐出装置１１は、液体吐出装置１１を正面から見たときに、第２カバー１７及び第３カバー２５よりも右方に表示部２２を備える。表示部２２は、操作部３１が操作されることによって、液体収容部１６内の液体の残量を表示してもよい。第６変更例において、表示部２２が設けられる位置に開口２６が設けられてもよい。その場合、開口２６に透明部材が嵌め込まれてもよい。また、表示部２２または開口２６が、１つではなく複数であってもよい。
【００５９】
図１８に示すように、表示部２２は、液体収容部１６内の液体の残量を示す残量表示線２２Ａを表示してもよい。残量表示線２２Ａは、例えば、液体収容部１６内の液面の位置を模式的に示す。液体の残量が多い場合、表示部２２において残量表示線２２Ａの表示される位置が高くなる。残量が少ない場合、表示部２２において残量表示線２２Ａの表示される位置が低くなる。このように、残量表示線２２Ａの位置と液体の残量とが対応する。
【００６０】
・図２０及び図２１に示すように、液体吐出装置１１の形態を変更してもよい。第７変更例における液体吐出装置１１は、表示部２２を備える。表示部２２は、液体吐出装置１１を正面から見たときに、表示パネル１４よりも右方に１つ位置し、表示パネル１４よりも左方に１つ位置する。第７変更例において、表示部２２が設けられる位置に開口２６が設けられてもよい。その場合、開口２６に透明部材が嵌め込まれてもよい。第７変更例における液体吐出装置１１は、液体吐出装置１１を操作するための操作部３１を備える。
【００６１】
図２２に示すように、第７変更例における操作部３１は、回転することによる操作の選択や決定が可能なダイヤルである。例えば、ダイヤルが回されると、表示パネル１４の表示が切り替わる。
【００６２】
図２３に示すように、第７変更例における操作部３１の形態を変更してもよい。また、他の変更例に適用してもよい。
・図２４及び図２５に示すように、液体吐出装置１１の形態を変更してもよい。第８変更例における液体吐出装置１１は、表示部２２を備える。表示部２２は、液体吐出装置１１を正面から見たときに、表示パネル１４よりも右方に１つ位置し、表示パネル１４よりも左方に１つ位置する。第８変更例において、表示部２２が設けられる位置に開口２６が設けられてもよい。その場合、開口２６に透明部材が嵌め込まれてもよい。第８変更例における液体吐出装置１１は、液体吐出装置１１を操作するための操作部３１を備える。
【００６３】
図２５に示すように、表示部２２は、液体収容部１６内の液体の残量を示す複数の残量表示灯２２Ｂを表示してもよい。残量表示灯２２Ｂは、液体収容部１６内の液体の残量を段階的に示す。残量表示灯２２Ｂは、例えば、１つの表示部２２において３つ設けられる。液体の残量が多い場合、１つの表示部２２において３つすべての残量表示灯２２Ｂが点灯する。液体の残量が少ない場合、１つの表示部２２において１つの残量表示灯２２Ｂが点灯する。このように、残量表示灯２２Ｂの点灯する数と液体の残量とが対応する。
【００６４】
図２６に示すように、第８変更例における操作部３１は、回転することによる操作の選択や決定が可能なダイヤルである。操作部３１は、図２６に示すように中央および上方に凹部を形成しているが、どちらか１つが凹部を形成していてもよい。また、操作部３１は、図２６に示した凹部の部分に凸部を形成してもよく、凹部と凸部が形成されていてもよい。
【００６５】
・図２７及び図２８に示すように、液体吐出装置１１の形態を変更してもよい。第９変更例における液体吐出装置１１は、表示部２２を備える。表示部２２は、液体吐出装置１１を正面から見たときに、表示パネル１４よりも右方に１つ位置し、表示パネル１４よりも左方に１つ位置する。第９変更例において、表示部２２が設けられる位置に開口２６が設けられてもよい。その場合、開口２６に透明部材が嵌め込まれてもよい。第９変更例における液体吐出装置１１は、液体吐出装置１１を操作するための操作部３１を備える。
【００６６】
図２９に示すように、第９変更例において、操作部３１は、回転することによる操作の選択や決定が可能なダイヤルである。操作部３１は、図２９に示すように上方に凹部を形成しているが、中心に近い位置に凹部を形成していてもよい。また、操作部３１は、図２６に示した凹部の部分に凸部を形成してもよい。
【００６７】
・図３０及び図３１に示すように、液体吐出装置１１の形態を変更してもよい。第１０変更例における液体吐出装置１１は、液体吐出装置１１を操作するための操作部３１を備える。
【００６８】
図３２に示すように、第１０変更例において、操作部３１は、回転することによる操作の選択や決定が可能なダイヤルである。操作部３１は、図３２に示すように外周部および上方に凹部を形成しているが、どちらか１つが凹部を形成していてもよい。また、操作部３１は、図３２に示した凹部の部分に凸部を形成してもよく、凹部と凸部が形成されていてもよい。
【００６９】
図３３に示すように、第１０変更例における液体吐出装置１１は、筐体１２に対して挿抜可能な収容カセット３２を備える。収容カセット３２は、液体収容部１６を収容する。収容カセット３２は、液体吐出装置１１を正面から見たときに、表示パネル１４よりも右方に位置する。
【００７０】
第１０変更例における液体吐出装置１１は、５つの液体収容部１６を備える。収容カセット３２は、５つの液体収容部１６を収容する。収容カセット３２が筐体１２に装着されると、液体収容部１６は、筐体１２に収容される。収容カセット３２が筐体１２から引き出されると、液体収容部１６が筐体１２から引き出される。このとき、ユーザーは、液体収容部１６を視認できる。これにより、ユーザーは、液体収容部１６越しに液体収容部１６内の液体の残量を確認できる。収容カセット３２が透明に構成されてもよい。この場合には、収容カセット３２を引き出すことなく液体収容部１６内の液体の残量を確認できる。
【００７１】
第１０変更例において、収容カセット３２に表示部２２が設けられてもよい。収容カセット３２に開口２６が設けられてもよい。その場合、開口２６に透明部材が嵌め込まれてもよい。また、表示部２２または開口２６が、１つではなく複数であってもよい。
【００７２】
・図３４及び図３５に示すように、液体吐出装置１１の形態を変更してもよい。第１１変更例における液体吐出装置１１は、表示部２２を備える。第１１変更例において、表示部２２は、液体吐出装置１１を正面から見たときに、表示パネル１４よりも右方に位置する。第１１変更例において、表示パネル１４は、筐体１２の前面から上面にかけて設けられる。第１１変更例において、表示部２２が設けられる位置に開口２６が設けられてもよい。その場合、開口２６に透明部材が嵌め込まれてもよい。また、表示部２２または開口２６が、１つではなく複数であってもよい。
【００７３】
・図３６及び図３７に示すように、液体吐出装置１１の形態を変更してもよい。第１２変更例における液体吐出装置１１は、操作部３１を備える。第１２変更例における操作部３１は、ボタンである。
【００７４】
第１２変更例における液体吐出装置１１は、表示部２２を備える。表示部２２は、液体吐出装置１１を正面から見たときに、表示パネル１４よりも右方に位置する。第１２変更例において、表示部２２が設けられる位置に開口２６が設けられてもよい。その場合、開口２６に透明部材が嵌め込まれてもよい。また、表示部２２または開口２６が、１つではなく複数であってもよい。
【００７５】
図３８に示すように、第１２変更例における表示部２２の形態を変更してもよい。表示部２２が設けられる位置に開口２６が設けられてもよい。その場合、開口２６に透明部材が嵌め込まれてもよい。また、表示部２２または開口２６が、１つではなく複数であってもよい。
【００７６】
図３９に示すように、第１２変更例における表示部２２の形態を変更してもよい。表示部２２が設けられる位置に開口２６が設けられてもよい。その場合、開口２６に透明部材が嵌め込まれてもよい。また、表示部２２または開口２６が、１つではなく複数であってもよい。
【００７７】
・図４０及び図４１に示すように、液体吐出装置１１の形態を変更してもよい。第１３変更例における液体吐出装置１１は、操作部３１を備える。第１３変更例における操作部３１は、ボタンである。
【００７８】
第１３変更例における液体吐出装置１１は、表示部２２を備える。表示部２２は、液体吐出装置１１を正面から見たときに、表示パネル１４よりも右方に位置する。第１３変更例において、表示部２２が設けられる位置に開口２６が設けられてもよい。その場合、開口２６に透明部材が嵌め込まれてもよい。また、表示部２２または開口２６が、１つではなく複数であってもよい。
【００７９】
図４２に示すように、第１３変更例における表示部２２の形態を変更してもよい。
図４３に示すように、第１３変更例における表示部２２の形態を変更してもよい。
・媒体９９は、用紙に限らず、プラスチックフィルム、金属フィルム、布帛などでもよい。
【００８０】
・吐出部１５が吐出する液体はインクに限らず、例えば機能材料の粒子が液体に分散又は混合されてなる液状体などでもよい。例えば、吐出部１５が液晶ディスプレイ、エレクトロルミネッセンスディスプレイ及び面発光ディスプレイの製造などに用いられる電極材または画素材料などの材料を分散または溶解のかたちで含む液状体を吐出してもよい。
【００８１】
以下に、上述した実施形態及び変更例から把握される技術的思想及びその作用効果を記載する。
（Ａ）液体吐出装置は、液体を吐出する吐出部と、前記吐出部に供給される液体を収容する液体収容部と、発光することによって前記液体収容部内の液体の残量を表示する表示部と、を備える。
【００８２】
この構成によれば、周囲が暗い環境であっても、液体収容部内の液体の残量を確認しやすい。
（Ｂ）上記液体吐出装置において、前記表示部は、タッチパネルで構成され、入力を感知することによって前記液体収容部内の液体の残量を表示してもよい。
【００８３】
この構成によれば、例えばユーザーが表示部に触れることによって、液体収容部内の液体の残量を確認できる。そのため、使い勝手が向上する。
（Ｃ）上記液体吐出装置は、近接センサーを備え、前記表示部は、前記近接センサーが物体を検知することによって前記液体収容部内の液体の残量を表示してもよい。
【００８４】
この構成によれば、ユーザーは、例えば近接センサーに手をかざすことによって、液体収容部内の液体の残量を確認できる。そのため、使い勝手が向上する。
（Ｄ）上記液体吐出装置において、前記表示部は、前記液体収容部内の液体の残量を数値として表示してもよい。
【００８５】
この構成によれば、ユーザーは、液体収容部内の液体の残量を数値で確認できる。すなわち、ユーザーは、液体の残量をより正確に把握できる。
【符号の説明】
【００８６】
１１…液体吐出装置、１２…筐体、１３…第１カバー、１４…表示部、１５…吐出部、１６…液体収容部、１７…第２カバー、１８…排出口、１９…排出トレイ、２１…制御部、２２…表示部、２２Ａ…残量表示線、２２Ｂ…残量表示灯、２３…近接センサー、２５…第３カバー、２６…開口、２７…収容部、２８…本体、２９…蓋、３１…操作部、３２…収容カセット、９９…媒体。
【図１】
2020157734.tif 000003
【図２】
2020157734.tif 000004
【図３】
2020157734.tif 000005
【図４】
2020157734.tif 000006
【図５】
2020157734.tif 000007
【図６】
2020157734.tif 000008
【図７】
2020157734.tif 000009
【図８】
2020157734.tif 000010
【図９】
2020157734.tif 000011
【図１０】
2020157734.tif 000012
【図１１】
2020157734.tif 000013
【図１２】
2020157734.tif 000014
【図１３】
2020157734.tif 000015
【図１４】
2020157734.tif 000016
【図１５】
2020157734.tif 000017
【図１６】
2020157734.tif 000018
【図１７】
2020157734.tif 000019
【図１８】
2020157734.tif 000020
【図１９】
2020157734.tif 000021
【図２０】
2020157734.tif 000022
【図２１】
2020157734.tif 000023
【図２２】
2020157734.tif 000024
【図２３】
2020157734.tif 000025
【図２４】
2020157734.tif 000026
【図２５】
2020157734.tif 000027
【図２６】
2020157734.tif 000028
【図２７】
2020157734.tif 000029
【図２８】
2020157734.tif 000030
【図２９】
2020157734.tif 000031
【図３０】
2020157734.tif 000032
【図３１】
2020157734.tif 000033
【図３２】
2020157734.tif 000034
【図３３】
2020157734.tif 000035
【図３４】
2020157734.tif 000036
【図３５】
2020157734.tif 000037
【図３６】
2020157734.tif 000038
【図３７】
2020157734.tif 000039
【図３８】
2020157734.tif 000040
【図３９】
2020157734.tif 000041
【図４０】
2020157734.tif 000042
【図４１】
2020157734.tif 000043
【図４２】
2020157734.tif 000044
【図４３】
2020157734.tif 000045